(57)【特許請求の範囲】
【請求項１】
インターネットと接続したリピータ局が広範囲に多数散在して設置され、前記各リピータ局に対してユーザ無線局が一対一の関係で無線伝送路を介して接続可能であると共に、前記インターネット上には、前記各リピータ局との通信が可能であり、前記各リピータ局に付与されたリピータＩＤとＩＰアドレス、及び一の前記リピータ局（以下、「ルーム運営局」という）に対して一又は二以上の前記リピータ局が接続して構成されるルームに付与されたルームＩＤが予め登録されている管理サーバが設置されており、前記ユーザ無線局から自局が接続しているリピータ局以外の他の前記リピータ局又は前記ルーム運営局との接続を要求する場合には、接続要求先の前記リピータ局のリピータＩＤ又は前記ルーム運営局のルームＩＤを指定して前記管理サーバに問い合わせを行い、前記ユーザ無線局が接続中のリピータ局が前記管理サーバから前記リピータＩＤ又は前記ルームＩＤに対応する前記ＩＰアドレスの返送を受け、そのＩＰアドレスを用いて接続要求先の前記リピータ局又は前記ルーム運営局との接続を行う無線ＩＰネットワークシステムにおいて、
前記各ルーム運営局は、前記ルームに接続している前記リピータ局の数に増減が生じた場合に、前記管理サーバへ新たな接続数又は増減数を通知する手段を備え、
前記管理サーバは、各ルームについて少なくとも前記ルームＩＤと前記リピータ局の接続数とを対応付けたリスト（以下、「ルーム接続情報リスト」という）を記憶し、前記ルーム運営局から前記通知がある度に、その通知情報に基づいて前記ルーム接続情報リストを更新すると共に、前記リピータ局から前記ルーム接続情報リストの伝送要求を受信する度に、その要求元のリピータ局へ前記ルーム接続情報リストを送信する手段を備え、
前記各リピータ局は、前記管理サーバへ所定インターバルで前記ルーム接続情報リストの伝送要求を送信して前記管理サーバから前記ルーム接続情報リストを受信し、前回受信して記憶している前記ルーム接続情報リストを更新すると共に、無線接続中の前記ユーザ無線局から前記ルーム接続情報リストの伝送要求を受信した場合に、その時点で記憶している前記ルーム接続情報リストを無線接続中の前記ユーザ無線局へ送信する手段を備え、
前記各ユーザ無線局は、無線接続中の前記リピータ局に対して前記ルーム接続情報リストの伝送要求を送信して前記リピータ局から前記ルーム接続情報リストを受信して記憶すると共に、表示部に受信した前記ルーム接続情報リストを表示させ、その表示画面上で接続要求先の前記ルームを選択できる手段を備えている
ことを特徴とする無線ＩＰネットワークシステム。
【請求項２】
前記管理サーバが、前記ルーム運営局からの通知情報に基づいて前記ルーム接続情報リストを更新すると共に、更新前後のルーム接続情報リストに係る差分データも作成して記憶し、前記各リピータ局から差分データの伝送要求を受信する度に、その要求元のリピータ局へ前記差分データを送信する手段も備え、
前記各リピータ局が、前記管理サーバへ前記ルーム接続情報リストの伝送要求を送信するインターバルよりも短いインターバルで、前記管理サーバへ前記差分データの伝送要求を送信して前記管理サーバから前記差分データを受信し、その受信時点で記憶している前記ルーム接続情報リストを受信した前記差分データで更新する手段も備えている
請求項１に記載の無線ＩＰネットワークシステム。
【請求項３】
前記各ユーザ無線局が、前記表示画面上での前記ルームの選択に基づいて、前記所定信号フォームにルームＩＤをセットして自動的に無線送信する手段を備えている請求項１又は請求項２に記載の無線ＩＰネットワークシステム。
【発明の詳細な説明】
【技術分野】
【０００１】
本発明は、ユーザ無線局とリピータ局とが無線伝送路により接続され、各リピータ局間や複数のリピータ局間を接続させたルーム（Room）とがインターネットで中継される方式の無線ＩＰ（Internet Protocol）ネットワークシステムに関する。
【背景技術】
【０００２】
アマチュア無線の分野においては、小出力のハンディ無線機やモービル無線機であっても全国各地や海外との交信が可能になる無線ＩＰネットワークシステムが採用されるようになり、WiRES（登録商標）やEchoLinkのような中継システムが普及しつつある。
【０００３】
具体的には、図１に示されるように、全国各地に展開されている多数のリピータ局1-1〜11がインターネット上に設けた管理サーバ2を介して接続されており、各リピータ局1-1〜11と各ユーザ無線局3-1〜11との間が無線伝送路で接続されたネットワーク構成が基本となる。ただし、図１においては、リピータ局1-4,1-10がルーム運営局としてルームを構成して、リピータ局1-2,1-3に接続しているユーザ無線局3-2,3-3とリピータ局1-7,1-8,1-9に接続しているユーザ無線局3-7,3-8,3-9とがそれぞれのルームに参加している状態を示しており、ルームに参加していない状態ではリピータ局1-2,1-3,1-7,1-8,1-9もインターネットを介して直接管理サーバ2に接続された構成となる。
【０００４】
この無線ＩＰネットワークシステムにより、ユーザ無線局（アマチュア無線局）はＶ/ＵＨＦ帯ＦＭモードを使用して最寄のリピータ局と接続すれば、このネットワーク内の他のリピータ局に接続されているユーザ無線局と交信することができ、小出力の無線通信機であっても全国規模での交信域を実現できることになる。
このアマチュア無線に係るネットワークシステムは、下記非特許文献１等において前記中継システムの代表例であるWiRESとして詳細に説明されている。
【０００５】
ここで、リピータ局1-1〜11の登録と管理サーバ2の管理情報について説明する。ただし、以下の登録手続と登録情報は、前記WiRESの最新バージョンに基づくものである。
先ず、リピータ局1-1〜11は、インターネットに接続されたパーソナルコンピュータ（以下、「パソコン」という）と、ユーザ無線局3-1〜11との通信用トランシーバと、双方を接続するインターフェイス装置とからなり、パソコンにはリピータ機能を実行させるためのプログラムがインストールされる。
リピータ局1-1〜11を開設するには、管理サーバ2を運営するネットワーク管理会社への登録申請が必要であり、その申請により前記インターフェイス装置のシリアル番号とリピータ局1-1〜11の開設者の情報（氏名や住所）が管理サーバ2に登録される。
リピータ局1-1〜11の開設者は前記パソコンのプログラムを実行させてＩＤ（10桁以内の英数字列）とリピータ局かルームかの種別情報を設定することができ、前記ＩＤはその種別情報に基づいてリピータＩＤ又はルームＩＤとなる。
そして、ＩＤと前記種別情報と前記インターフェイス装置から読み出されたシリアル番号がインターネットを通じて管理サーバ2へ通知され、管理サーバ2では前記通知と共に送信されるリピータ局1-1〜11のＩＰアドレスとそれらの通知情報とを対応付けて格納する。
したがって、管理サーバ2には、各リピータ局1-1〜3,1-5〜9,1-11又は各ルーム1-4,1-10について、インターフェイス装置のシリアル番号、開設者の情報（氏名や住所）、リピータ局かルームかの種別情報、ＩＤ（種別情報によりリピータＩＤ又はルームＩＤとなる）、及びインターネット上のＩＰアドレスが登録されていることになる。
【０００６】
そして、図１からも明らかなように、無線ＩＰネットワークにおいては、一つのリピータ局に対しては一つのユーザ無線局しか接続できないが、前記のようにルームが構成されると、リピータ局（ルーム運営局）1-4とそのルームに参加してリピータ局1-2,1-3にそれぞれ接続している各ユーザ無線局3-4,3-2,3-3、及びリピータ局（ルーム運営局）1-10とそのルームに参加してリピータ局1-7,1-8,1-9に接続した各ユーザ無線局3-10,3-7,3-8,3-9では、グループに属する一つのユーザ無線局からの音声をグループ内の他のユーザ無線局で同時に聴くことができ、多くの局との交信を楽しむことができる。
【先行技術文献】
【非特許文献】
【０００７】
【非特許文献１】「CQ ham radio 2010年4月号別冊付録 最新情報と運用の手引き WiRES-2 パーフェクト・ガイド」  ＣＱ出版社  2010年3月19日
【発明の概要】
【発明が解決しようとする課題】
【０００８】
ところで、図１において、各ユーザ無線局3-1〜11はルーム運営局1-4,1-10に付与されたルームＩＤを所定フォームで最寄のリピータ局1-1〜11へ送信することでルームに接続でき、また切断コマンドを所定フォーム送信することでルームとの接続を切断できるため、当然にルームに対するリピータ局の接続数（即ち、ユーザ無線局の接続数）は時間の経過と共に増減する。
【０００９】
したがって、各ユーザ無線局3-1〜11においては、ルームに参加しようとする際に、予めネットワーク上に構成されているルームのルームＩＤや各ルームに対するリアルタイムなユーザ無線局の接続数を確認できれば都合がよい。
しかしながら、現状の無線ＩＰネットワークにおいては、各ユーザ無線局3-1〜11でそれらを確認することはできず、次のような不利・不便がある。
【００１０】
(1) ルームへの参加者が常連である等の理由から特定のルームへ接続することが多いが、そのルームのルームＩＤが冗長で正確に記憶していないと、ハンディ無線機で外出先からルームへ接続しようとする場合等ではメモ書き等からルームＩＤを確認することもできず、結果的にルーム接続できない。
(2) ユーザ無線局の接続数が多いルームの方が応答を得られる機会も多いためにそのようなルームへの接続を希望するが、事前にその接続数を知るためには、ネットワーク管理会社がインターネット上のＷｅｂサイトで開示している各ルームの接続数を確認する必要があり、パソコンからの確認であるために面倒な作業となる。
(3) ルームへのユーザ無線局の接続の多少をリアルタイムに確認してみる方法として、実際にルームへ接続してＣＱを出した後、相手局の応答を待つ方法があるが、そのルームの接続数が０又は少数であると殆んど応答が得られずに時間の無駄になることがある。
(4) ルームに参加するには、いずれにしてもユーザ無線局においてルームＩＤ一字ずつ手動操作で入力しなければならず、英数字が混在したルームＩＤが多いこともあり、入力操作はかなり面倒である。短縮ダイヤルのような機能を利用して操作の簡素化を図ることも考えられるが、ユーザ無線局で多数のルームＩＤを短縮番号等と対応付けて管理するのは煩雑である。
【００１１】
そこで、本発明は、個々のユーザ無線局において無線ＩＰネットワーク上にあるルームとそのルームに対するリピータ局の接続数（即ち、ユーザ無線局の接続数）とを表示させて確認することができるシステムを提供することを目的として創作された。
【課題を解決するための手段】
【００１２】
本発明は、インターネットと接続したリピータ局が広範囲に多数散在して設置され、前記各リピータ局に対してユーザ無線局が一対一の関係で無線伝送路を介して接続可能であると共に、前記インターネット上には、前記各リピータ局との通信が可能であり、前記各リピータ局に付与されたリピータＩＤとＩＰアドレス、及び一の前記リピータ局（以下、「ルーム運営局」という）に対して一又は二以上の前記リピータ局が接続して構成されるルームに付与されたルームＩＤが予め登録されている管理サーバが設置されており、前記ユーザ無線局から自局が接続しているリピータ局以外の他の前記リピータ局又は前記ルーム運営局との接続を要求する場合には、接続要求先の前記リピータ局のリピータＩＤ又は前記ルーム運営局のルームＩＤを指定して前記管理サーバに問い合わせを行い、前記ユーザ無線局が接続中のリピータ局が前記管理サーバから前記リピータＩＤ又は前記ルームＩＤに対応する前記ＩＰアドレスの返送を受け、そのＩＰアドレスを用いて接続要求先の前記リピータ局又は前記ルーム運営局との接続を行う無線ＩＰネットワークシステムにおいて、前記各ルーム運営局は、前記ルームに接続している前記リピータ局の数に増減が生じた場合に、前記管理サーバへ新たな接続数又は増減数を通知する手段を備え、前記管理サーバは、各ルームについて少なくとも前記ルームＩＤと前記リピータ局の接続数とを対応付けたリスト（以下、「ルーム接続情報リスト」という）を記憶し、前記ルーム運営局から前記通知がある度に、その通知情報に基づいて前記ルーム接続情報リストを更新すると共に、前記リピータ局から前記ルーム接続情報リストの伝送要求を受信する度に、その要求元のリピータ局へ前記ルーム接続情報リストを送信する手段を備え、前記各リピータ局は、前記管理サーバへ所定インターバルで前記ルーム接続情報リストの伝送要求を送信して前記管理サーバから前記ルーム接続情報リストを受信し、前回受信して記憶している前記ルーム接続情報リストを更新すると共に、無線接続中の前記ユーザ無線局から前記ルーム接続情報リストの伝送要求を受信した場合に、その時点で記憶している前記ルーム接続情報リストを無線接続中の前記ユーザ無線局へ送信する手段を備え、前記各ユーザ無線局は、無線接続中の前記リピータ局に対して前記ルーム接続情報リストの伝送要求を送信して前記リピータ局から前記ルーム接続情報リストを受信して記憶すると共に、表示部に受信した前記ルーム接続情報リストを表示させ、その表示画面上で接続要求先の前記ルームを選択できる手段を備えていることを特徴とする無線ＩＰネットワークシステムに係る。
【００１３】
本発明によれば、インターネット上の管理サーバが各ルーム運営局からルームに参加しているリピータ局の接続数又は増減数を受けてリアルタイムなルーム接続情報リストを作成し、各リピータ局からの所定時間毎の伝送要求に応じて各リピータ局へルーム接続情報リストを配信する。
各リピータ局では伝送要求を行ってルーム接続情報リストを受信する度にリストの更新を行うため、各リピータ局は常に最新のルーム接続情報リストを保有できる。
尚、以上の処理は全てインターネット上の通信で実行される。
ユーザ無線局で各ルームにおけるリピータ局の接続数を確認する場合には、既に最寄のリピータ局が最新のルーム接続情報リストを保有しているため、同リピータ局へリストの伝送要求を行うだけで自局にダウンロードでき、表示部にそのリストを表示させて希望するルームを選択できる。
この処理はユーザ無線局とリピータ局の間での無線通信による。
【００１４】
ところで、本発明によると、ルーム接続情報リストのリアルタイム性は各リピータ局が管理サーバへ伝送要求を行う際のインターバルに依存し、当然にそれが短い方が望ましい。
しかし、リピータ局が多くなると、前記インターバルを短くして管理サーバがルーム接続情報リストのデータを毎回伝送するのでは、当然に管理サーバに大きな負担がかかる。
この問題については、前記発明において、前記管理サーバが、前記ルーム運営局からの通知情報に基づいて前記ルーム接続情報リストを更新すると共に、更新前後のルーム接続情報リストに係る差分データも作成して記憶し、前記各リピータ局から差分データの伝送要求を受信する度に、その要求元のリピータ局へ前記差分データを送信する手段も備え、前記各リピータ局が、前記管理サーバへ前記ルーム接続情報リストの伝送要求を送信するインターバルよりも短いインターバルで、前記管理サーバへ前記差分データの伝送要求を送信して前記管理サーバから前記差分データを受信し、その受信時点で記憶している前記ルーム接続情報リストを受信した前記差分データで更新する手段も備えるようにすることにより解消できる。
この場合には、ルーム接続情報リストについての伝送インターバルは長くても、各リピータ局においては差分データによって短いインターバルでルーム接続情報リストを更新でき、また差分データはデータ量が小さいために管理サーバにかかる負担は小さい。
【００１５】
また、前記各ユーザ無線局については、前記表示画面上での前記ルームの選択に基づいて、前記所定信号フォームにルームＩＤをセットして自動的に無線送信する手段を備えていることが望ましい。
【発明の効果】
【００１６】
本発明によれば、広範囲に多数散在して設置されているリピータ局がインターネットに接続しており、ユーザ無線局がインターネットを中継回線として無線通信を行い、且つ複数のリピータ局同士が接続してルームを構成することが可能な無線ＩＰネットワークシステムにおいて、ユーザ無線局の表示部においてネットワークに存在する各ルームに対するリピータ局の接続情報をリスト形式で確認することができ、上記の［発明が解決しようとする課題］で示した不利・不便を解消できる。また、ユーザ無線局の表示部にルーム接続情報リストを表示させて、そのルームＩＤを選択するだけで自動的に選択したルームと接続して交信できるという利点もある。
【図面の簡単な説明】
【００１７】
【図１】無線ＩＰネットワークシステムのネットワーク構成図である。
【図２】ルームを運営するリピータ局による管理サーバに対するリピータ局の接続数の通知動作手順を示すフローチャートである。
【図３】全てのリピータ局における各ルームに対するリピータ局の接続情報リストの取得・更新手順を示すフローチャートである。
【図４】管理サーバにおける各ルームに対するリピータ局の接続情報リストの更新及び同リストのリピータ局への送信手順を示すフローチャートである。
【図５】ユーザ無線局がリピータ局からルーム接続情報リストを取得する手順とそのリストを用いてルームに接続する際の手順を示すフローチャートである。
【図６】各ルームに対するリピータ局の接続情報リストの一例を示す図である。
【図７】ユーザ無線局の一例であるハンディトランシーバの正面図である。
【発明を実施するための形態】
【００１８】
以下、本発明の無線ＩＰネットワークシステムの実施形態を図１から図７を参照しながら詳細に説明する。
但し、図１は実施形態に係るネットワーク構成図であるが、ネットワーク上の各ノードとその接続関係については上記［背景技術］の欄で既に説明しているため、ここでは説明を省略する。
【００１９】
この実施形態の特徴は、ノードであるリピータ局1-X（1-1〜11）、リピータ局1-X（1-1〜11）の内のルーム運営局1-R（1-4,1-10）、管理サーバ2、及びユーザ無線局3-X（3-1〜11）に格納されているプログラムによって実行される相互的機能にある。
先ず、ルーム運営局1-Rの動作は図２に示され、そのルームに接続しているリピータ局1-Xの数に増減が発生する度に、インターネットを通じて管理サーバ2へ新たな接続数（又は増減数）を通知する（S01,S02）。
【００２０】
ユーザ無線局3-Xから最寄のリピータ局1-Xの運用周波数に合わせて、参加を希望するルームに係るルーム運営局1-RのルームＩＤを「＃」と「Ｄ」で挟んだコードをＤＴＭＦ（Dual Tone-Multiple Frequency）信号で無線送信すると、リピータ局1-Xからインターネットを介して管理サーバ2へ伝送され、管理サーバ2では予め登録されているそのルームＩＤに対応付けられているルーム運営局1-RのＩＰアドレスをリピータ局1-Xへ通知する。
そして、ＩＰアドレスの通知を受けたリピータ局1-XではそのＩＰアドレスを用いて前記ルームＩＤに対応するルーム運営局1-Rに接続し、ユーザ無線局3-Xがルーム運営局1-Rの運営するルームに参加できる状態となる。
【００２１】
ルームに参加している状態では、ユーザ無線局3-Xからは前記と同様の手順で既にルーム運営局1-Rと接続している他のユーザ無線局と交信でき、一つのユーザ無線局からの音声信号をグループ内の他のユーザ無線局で同時に受信して聴くことができる。
また、ルームに参加しているリピータ局1-Xが切断コマンドを前記と同様の所定信号フォームでルーム運営局1-Rへ送信することにより、ルーム運営局1-Rはリピータ局1-Xの接続を切断し、リピータ局1-Xをルームから抜けた状態とする。
したがって、ルーム運営局1-Rに対するリピータ局1-Xの接続数は時々刻々と変化し、その増減がある度にルーム運営局1-Rは管理サーバ2に対して現状の接続数（又は増減数）を通知する。
【００２２】
ところで、管理サーバ2はネットワーク上の各ルーム（各ルーム運営局1-R）についてのルームＩＤと前記リピータ局1-Xの接続数とルーム運営局の国名とを対応付けたリスト（以下「ルーム接続情報リスト」という）を備えており、図４に示すように、ルーム運営局1-Rから前記通知を受けた管理サーバ2では、その通知に係る接続数（又は増減数）に基づいて、先ず、増減前と増減後のルーム接続情報リストに係る差分データを作成し、前回作成した差分データを今回の差分データで上書きして更新する（S31,S32）。
また、通知に係る接続数（又は増減数）に基づいてルーム接続情報リスト自体も更新する（S33）。
【００２３】
一方、ネットワーク上の全てのリピータ局1-Xは、図３に示す動作手順で管理サーバ2からルーム接続情報リストと差分データを得て、リアルタイムに近いルーム接続情報リストを保持するようにしている。
先ず、リピータシステムの起動が完了すると、管理サーバ2に対してルーム接続情報リストの伝送要求を行い、管理サーバ2からリストデータを受信すると内部メモリにセーブする（S11〜S14）。
そして、ステップS14でのセーブ処理から５秒間経過すると管理サーバ2に対して前記リストデータについての差分データの伝送要求を行い、管理サーバ2から差分データを受信するとそれを用いて前記リストデータを更新してセーブし、その動作を５秒毎に繰り返し実行する（S15〜S18→S15）。
また、前記ステップS14のセーブ処理から１０分経過すると、再度管理サーバ2に対してルーム接続情報リストの伝送要求を行い、管理サーバ2からリストデータを受信すると、前記ステップS15〜S18の手順を繰り返しながら更新されているリストデータを消去して受信したリストデータをセーブ、その動作を１０分毎に繰り返し実行する（S19〜S22→S15,S19）。
【００２４】
尚、全てのリピータ局1-Xの前記動作に対する管理サーバ2の対応動作は図４のS34からS37に示される。
即ち、リピータ局1-Xからルーム接続情報リストについての差分データの伝送要求があると、その時点でセーブしている差分データを要求のあったリピータ局1-Xへ送信し（S34,S35）、またリピータ局1-Xからルーム接続情報リストの伝送要求があると、その時点でセーブしているリストデータを要求のあったリピータ局1-Xへ送信する（S36,S37）。
【００２５】
以上のインターネット上でのルーム運営局1-Rと管理サーバ2と各リピータ局1-Xの動作により、各リピータ局1-Xにおいては常にほぼ５秒以内に発生した各ルームに対するリピータ局の接続数の増減を反映しているルーム接続情報リストを得ることができる。
したがって、各ユーザ無線局3-Xにおいては最寄のリピータ局1-Xに無線接続して、そのリピータ局1-Xがその時点で保有しているルーム接続情報リストをダウンロードすることができる。
【００２６】
図５のフローチャートは、ユーザ無線局3-Xが最寄のリピータ局1-Xからルーム接続情報リストを取得し、同リストを用いてルームへ接続する場合の手順を示す。但し、以下の説明では、ユーザ無線局3-Xを一例として図７に示すハンディトランシーバ10とする。
先ず、ユーザ無線局3-Xを最寄のリピータ局1-Xに無線接続してルーム接続モードを設定すると、ユーザ無線局3-Xでは直ちにそのリピータ局1-Xに対してルーム接続情報リストの伝送要求を行う（S41〜S43）。
【００２７】
前記伝送要求を受信したリピータ局1-Xでは、直ちに図３の手順によって更新保持しているルーム接続情報リストをユーザ無線局3-Xへ送信する（S51,S52）。
ユーザ無線局3-Xは、ルーム接続情報リストのデータを受信するとそれを内蔵メモリにセーブして液晶表示部に表示させる（S44,S45）。
具体的には、ルーム接続情報リストは、一例として図６に示すように、各ルームに係るルームＩＤ（Room ID）と同ルームに対するリピータ局の接続数（Act）とルーム運営局の存在する国名（Country）をリスト形式でまとめたものであり、ユーザ無線局3-Xの一例である図７のトランシーバ10では、その液晶表示部10に同図に示すような態様でルーム接続情報リスト12を表示させることになる。
【００２８】
次に、ユーザ無線局3-Xでは液晶表示部に表示させたルーム接続情報リストを用いてルームの選択操作を行う。
例えば、図７のトランシーバ10の場合であれば、表示中のルーム接続情報リスト12のルームＩＤ欄における単位表示部分を反転表示又は地色違い表示とすることでルームＩＤの選択可能位置を示し、その位置をアップキー13とダウンキー14のＯＮ操作によって前記選択位置を変化させて所望のルームＩＤを選択可能とし、セットキー15をＯＮ操作してそのルームＩＤを選択する。
【００２９】
すると、ユーザ無線局3-Xでは、上記でも説明したように選択されたルームＩＤ（英数字列）を「＃」と「Ｄ」で挟んだコードをＤＴＭＦ信号で無線送信する（S46,S47）。
したがって、リピータ局1-Xでは前記ＤＴＭＦ信号を受信することになるが、その受信信号からルームＩＤを抽出し、インターネットを通じてそのルームＩＤを管理サーバ2へ送信して応答を待つ（S53）。
【００３０】
管理サーバ2では、保存している登録情報に基づいて受信したルームＩＤに対応付けられているＩＰアドレスを読み出してリピータ局1-Xへ送信し、リピータ局1-XではそのＩＰアドレスを用いて前記ルームＩＤで特定されるルームを運営するルーム運営局1-Rに接続する（S54）。
尚、この段階でルーム運営局1-Rが管理サーバ2に対してリピータ局の接続数又は増加数（＋１）を通知することは、図２で説明したとおりである。
【００３１】
リピータ局1-Xは、ルーム運営局1-Rとの接続が完了すると、接続完了通知メッセージをユーザ無線局3-Xへ無線送信し、ユーザ無線局3-Xではそのメッセージが音声出力される（S54,S55,S48）。
その結果、（ユーザ無線局3-X）−（リピータ局1-X）−（ルーム運営局1-R）−（ルームに参加している複数のリピータ局）のリンクが確立され、ユーザ無線局3-Xが新たにルームに参加して交信が行われるが、リピータ局1-Xはインターネットと無線伝送路の間にあって音声信号の中継を行う（S49,S56）。
尚、ルームへの接続が不可であった場合には、リピータ局1-Xは接続不可通知音の信号をユーザ無線局3-Xへ無線送信し、ユーザ無線局3-Xのユーザはその通知音でルームへ参加できないことを確認する。
【産業上の利用可能性】
【００３２】
本発明は、インターネットを中継回線として無線通信を行い、複数のリピータ局同士が接続してルームを構成することが可能な無線ＩＰネットワークシステムに適用できる。
【符号の説明】
【００３３】
1-1〜11…リピータ局、2…管理サーバ、3-1〜11…ユーザ無線局、10…ハンディトランシーバ、11…液晶表示部、12…各ルームに対するリピータ局の接続情報リスト（ルーム接続情報リスト）、13…アップキー、14…ダウンキー、15…セットキー。
【要約】
【課題】無線ＩＰネットワークで、ユーザ無線局からリピータ局を介してネットワーク上に複数のリピータ局で構成されたルームへ接続する場合に、ルームＩＤや参加リピータ局数をＷｅｂサイト等から別途確認しておく必要があった。
【解決手段】ルーム運営局はルームへのリピータ局の接続数に増減が生じた場合に管理サーバへ通知し、管理サーバは各ルームのルームＩＤとリピータ局の接続数に係るリスト（ルーム接続情報リスト）とその差分データをセーブする。各リピータ局は短周期で差分データを、長周期でリストデータを管理サーバへ要求して受信し、ルーム接続情報リストを更新してセーブする。ユーザ無線局は最寄のリピータ局に接続してルーム接続モードを設定すると、リピータ局からルーム接続情報リストが無線伝送され、ユーザ無線局では表示部に同リストを表示させ、その画面上でルームの選択・接続を行う。
【選択図】図１【図１】
0005414868.tif 000002
【図２】
0005414868.tif 000003
【図３】
0005414868.tif 000004
【図４】
0005414868.tif 000005
【図５】
0005414868.tif 000006
【図６】
0005414868.tif 000007
【図７】
0005414868.tif 000008